(57)【要約】【課題】商品を前側から取り出すことのできる商品陳列棚用の棚板であって２種以上の横幅の商品を陳列することのできるもの、及びこれを備える商品陳列棚を提供すること。【解決手段】棚板１０は、表側及び裏側のそれぞれに商品を載置可能な本体、本体の２つの側端のそれぞれを中央で接続して前後に延び、表側及び裏側のそれぞれ及び前側及び後側のそれぞれに係止溝２ａ〜２ｄ，３ａ〜３ｄが設けられた２つの側板２，３、本体の表側に設けられた前後に延びる少なくとも１つの誘導板８、及び本体の前側に設けられた係止板５，６，７を備える。係止溝２ｃ，３ｃに商品陳列棚が有する前側で低い位置にある棒状部材を挿入し、係止溝２ｄ，３ｄに後側で高い位置にある棒状部材を挿入して棚板を商品陳列棚に係止することで、側板と誘導板とにより２つのレーンが形成された表側が上に向けられて、棚板が前傾した商品陳列棚を構成することができる。【選択図】図１
0003204567.tif 000002
【実用新案登録請求の範囲】
【請求項１】
商品を陳列し、該商品を前側から取り出し可能な商品陳列棚用の棚板であって、
表側及び裏側のそれぞれに商品を載置可能な本体と、
前記本体の２つの側端のそれぞれを中央で接続して前後に延び、表側及び裏側のそれぞれ及び前側及び後側のそれぞれに係止溝が設けられた２つの側板と、
前記本体の表側に設けられた前後に延びる少なくとも１つの誘導板と、
表側及び裏側のそれぞれに、前記本体の前側に設けられた係止板と、
を備えることを特徴とする、棚板。
【請求項２】
前記少なくとも１つの誘導板は、前記本体の裏側で前記２つの側板の中心に１つ設けられていることを特徴とする、請求項１に記載の棚板。
【請求項３】
表側に設けられた前記係止板は、前記本体の２つの側端それぞれの近傍と前端の中央とに設けられ、
裏側に設けられた前記係止板は、前記本体の２つの側端それぞれの近傍に設けられていることを特徴とする、請求項２に記載の棚板。
【請求項４】
前記２つの側板の前側及び後側のそれぞれに設けられた係止溝は、前後方向に遊びを有し、前側の前記係止溝の遊びは後側の前記係止溝の遊びにより少なくとも２ｍｍ大きいことを特徴とする、請求項１から３のいずれか一項に記載の棚板。
【請求項５】
請求項１から４のいずれか一項に記載の棚板と、
前記棚板が有する前記２つの側板の表側及び裏側の一方の前側及び後側のそれぞれに設けられた係止溝にそれぞれ挿入される２つの棒状部材と、
を備え、
前記２つの棒状部材の一方は前側で低い位置に、他方は後側で高い位置に、前記２つの側板の表側及び裏側の一方の前側及び後側のそれぞれに設けられた係止溝の開口の離間距離に略等しい離間距離で、互いに平行に、配置されていることを特徴とする、商品陳列棚。
【請求項６】
前記棚板を複数備えることを特徴とする、請求項５に記載の商品陳列棚。
【考案の詳細な説明】
【技術分野】
【０００１】
本考案は、商品を陳列し、該商品を前側から取り出し可能な商品陳列棚用の棚板及び該棚板を備える商品陳列棚に関する。
【背景技術】
【０００２】
商品を販売する店舗等において、商品を陳列する商品陳列棚が利用されている。例えば特許文献１には、飲料入り容器を陳列する陳列棚であり、複数の仕切壁を並べて陳列レーンを区画し、各陳列レーンを前傾した陳列棚が開示されている。この陳列棚の陳列レーンに飲料入り容器を前後方向に並べると、最前の飲料入り容器を抜き取った際に後ろの飲料入り容器が自重で手前に移動することで、飲料入り容器の取り出しが容易となっている。
【０００３】
陳列される商品は、直方体形状の箱に入れられていることが多い。整然と並べることができる。一方、直方体形状によって定まる商品の横幅が仕切壁の間隔に略一致することが求められる。すなわち、仕切壁の間隔が固定された商品陳列棚によれば、１つの横幅の商品のみを陳列することができる。
【先行技術文献】
【特許文献】
【０００４】
【特許文献１】特開２００６−２８８６７６号公報
【考案の概要】
【考案が解決しようとする課題】
【０００５】
本考案は、商品を前側から取り出すことのできる商品陳列棚用の棚板であって２種以上の横幅の商品を陳列することのできるもの、及びこれを備える商品陳列棚を提供することを課題とする。
【課題を解決するための手段】
【０００６】
本考案の棚板は、商品を陳列し、該商品を前側から取り出し可能な商品陳列棚用の棚板であって、表側及び裏側のそれぞれに商品を載置可能な本体と、本体の２つの側端のそれぞれを中央で接続して前後に延び、表側及び裏側のそれぞれ及び前側及び後側のそれぞれに係止溝が設けられた２つの側板と、本体の表側に設けられた前後に延びる少なくとも１つの誘導板と、表側及び裏側のそれぞれに、本体の前側に設けられた係止板と、を備えることを特徴とする。
【０００７】
これによれば、２つの側板の裏側の前側に設けられた係止溝に商品陳列棚が有する前側で低い位置にある棒状部材を挿入し、後側に設けられた係止溝に後側で高い位置にある棒状部材を挿入して、棚板を商品陳列棚に係止することで、表側が上に向けられた棚板が前傾した商品陳列棚を構成することができる。この状態において、本体の表側に、本体の２つの側端に接続して前後に延びる２つの側板と、本体の表側に設けられた前後に延びる少なくとも１つの誘導板と、により少なくとも２つのレーンが形成され、それぞれのレーンに商品を前後方向に並べ、手前の商品を取り出した際に奥の商品が前側にスライドし、本体の前側に設けられた係止板により係止されて、最も手前の商品が取り出し可能になる。
【０００８】
一方、棚板を裏返し、２つの側板の表側の前側に設けられた係止溝に商品陳列棚が有する前側で低い位置にある棒状部材を挿入し、後側に設けられた係止溝に後側で高い位置にある棒状部材を挿入して、棚板を商品陳列棚に係止することで、裏側が上に向けられた棚板が前傾した商品陳列棚が構成される。この状態において、本体の裏側に、本体の２つの側端に接続して前後に延びる２つの側板により１つのレーンが形成され、そのレーンに商品を前後方向に並べ、手前の商品を取り出した際に奥の商品が前側にスライドし、本体の前側に設けられた係止板により係止されて、最も手前の商品が取り出し可能になる。
【０００９】
本考案の棚板は、少なくとも１つの誘導板は、本体の表側で２つの側板の中心に１つ設けられていることを特徴とする。
【００１０】
これによれば、２つの側板と、本体の表側で２つの側板の中心に１つ設けられた誘導板と、により等幅の２つのレーンが形成され、それぞれのレーンに同じ幅の商品を並べることができる。
【００１１】
本考案の棚板は、表側に設けられた係止板は、本体の２つの側端それぞれの近傍と前端の中央とに設けられ、裏側に設けられた前記係止板は、前記本体の２つの側端それぞれの近傍に設けられていることを特徴とする。
【００１２】
これによれば、表側では２つの側板と誘導板とにより形成される２つのレーンのそれぞれについてレーンを形成する側板に隣接する係止板のそれぞれと前端の中央に設けられた係止板とにより商品を係止することができ、裏側では２つの側板により形成される１つのレーンについてレーンを形成する側板に隣接する係止板のそれぞれと前端の中央に設けられた係止板とにより商品を係止することができる。
【００１３】
本考案の棚板は、２つの側板の前側及び後側のそれぞれに設けられた係止溝は、前後方向に遊びを有し、前側の係止溝の遊びは後側の係止溝の遊びにより少なくとも２ｍｍ大きいことを特徴とする。
【００１４】
これによれば、２つの側板の前側及び後側に設けられた係止溝にそれぞれ挿入される商品陳列棚の２つの棒状部材に対して、２ｍｍ以内の離間距離のずれを許容することができる。
【００１５】
本考案の商品陳列棚は、本考案の棚板と、棚板が有する２つの側板の表側及び裏側の一方の前側及び後側のそれぞれに設けられた係止溝にそれぞれ挿入される２つの棒状部材と、を備え、２つの棒状部材の一方は前側で低い位置に、他方は後側で高い位置に、２つの側板の表側及び裏側の一方の前側及び後側のそれぞれに設けられた係止溝の開口の離間距離に略等しい離間距離で、互いに平行に、配置されていることを特徴とする。
【００１６】
これによれば、２つの棒状部材が、２つの側板の表側及び裏側の一方の前側及び後側のそれぞれに設けられた係止溝の開口の離間距離に略等しい離間距離で、互いに平行に、配置されていることで、前側で低い位置にある棒状部材を２つの側板の表側又は裏側の前側に設けられた係止溝に挿入し、後側で高い位置にある棒状部材を２つの側板の表側又は裏側の後側に設けられた係止溝に挿入して、棚板を商品陳列棚に係止することで、棚板が前傾した商品陳列棚を構成することができる。
【００１７】
また、本考案の商品陳列棚は、棚板を複数備えることを特徴とする。
【００１８】
これによれば、複数の棚板のうちのある棚板は表側を上に、別の棚板は裏側を上にして係止することで、表側が上に係止された棚板と裏側が上に係止された棚板とにより異なる横幅の複数の商品を陳列することができる。
【考案の効果】
【００１９】
本考案の棚板によれば、表側に２つの側板により１つのレーンが形成され、裏側に２つの側板と少なくとも１つの誘導板とにより少なくとも２つのレーンが形成され、１つの棚板により横幅の異なる商品を前後方向に並べることが可能となる。
【００２０】
また、本考案の商品陳列棚によれば、表側が上に係止された棚板と裏側が上に係止された棚板とを組み合わせて異なる横幅の複数の商品を陳列することが可能となる。
【図面の簡単な説明】
【００２１】
【図１】図１は、本実施形態に係る棚板の構成を示す図である。
【図２】図２は、棚板を商品陳列棚に取付ける方法を説明するための説明図である。
【図３】図３は、本実施形態に係る商品陳列棚の構成を示す図である。
【考案を実施するための形態】
【００２２】
以下、本考案の一実施形態について説明する。
【００２３】
図１に、本実施形態に係る棚板１０の構成を示す。棚板１０は、商品を陳列し、その商品を前側から取り出すことのできる商品陳列棚２０用の棚板であり、本体１、２つの側板２，３、背板４、係止板５，６、係止板７、及び誘導板８を含んで構成される。
【００２４】
本体１は、商品が表側及び裏側のそれぞれに載置される矩形状の板部材である。本体１の表面の中央には後述する誘導板８が前後方向に延設され、誘導板８の左右にそれぞれ前後方向を長手とする単心円状の開口１ａ，１ｂが形成されている。
【００２５】
２つの側板２，３は、本体１の左右の側端に固定されて、商品を並べるレーンを区画する板部材である。側板２，３は、それぞれの中央で本体１の側端に接続して前後に延設され、これにより、本体１の左右の側端のそれぞれにおいて表側及び裏側に立設する。
【００２６】
側板２，３には、各４つの係止溝２ａ〜２ｄ，３ａ〜３ｄが形成されている。
【００２７】
係止溝２ａは、側板２の表側の前側に形成され、側板２の上端に開く開口とこの開口から側板の後側に向かってＬ字状に屈曲する穴部とを有する。係止溝２ｂは、側板２の表側の後側に形成され、側板２の上端に開く開口とこの開口から前側及び後側にＴ字状に拡がる穴部とを有する。係止溝２ｃ，２ｄは、係止溝２ａ，２ｂと本体１を挟んで表裏対象に、同じ位置及び同じ形状で、側板２の裏側に形成されている。
【００２８】
係止溝３ａ〜３ｄは、それぞれ、係止溝２ａ〜２ｄと左右対称に、同じ位置及び同じ形状で、側板３に形成されている。
【００２９】
側板２，３の前側及び後側のそれぞれに設けられた係止溝、例えば係止溝３ａ，３ｂは、前後方向に遊びＤａ，Ｄｂを有し、前側の係止溝の遊びＤａは１０ｍｍ、後側の係止溝の遊びＤｂは７ｍｍである。ＤａはＤｂよりも３ｍｍ大きい。これにより、後述するように、２つの側板２，３の前側及び後側に設けられた係止溝２ａ〜２ｄ，３ａ〜３ｄにそれぞれ挿入される商品陳列棚２０の２つの棒状部材２１ａ，２２ａについて、その離間距離が係止溝３ａ、３ｂの間隔とずれていても、３ｍｍ以内のずれであれば、後側の係止溝３ｂによって係止される。商品が取り出されるにしたがって商品全体の重心が前側に移動するので、後側の係止溝によって係止すると棚板がより安定して設置される。なお３ｍｍを超えて離間距離が小さくなるようにずれている場合には前側の係止溝３ａによって係止される。この場合にも、棚板は問題なく設置される。ここで、ＤａとＤｂの差を３ｍｍとしたが、設計により変更してよい。２ｍｍ以上とすることが好ましい。
【００３０】
背板４は、本体１の後端に固定されて、商品を係止する板部材である。背板４は、中央で本体１の後端に接続して左右に延設され、両端部を側板２，３に接続し、これにより、本体１の後端において表側及び裏側に立設する。
【００３１】
係止板５，６は、本体の前側に固定されて商品を係止する板部材である。係止板５，６は、それぞれの中央で本体１の前端の左右に設けられ、それぞれ側板２，３に隣接（本実施形態では接続）し、これにより、本体１の前端において表側及び裏側に立設する。
【００３２】
係止板７は、係止板５，６と同様に、本体の前側に固定されて商品を係止する板部材である。係止板７は、本体１の前端の中央から表側に立設されている。それにより、２つの側板２，３と後述する誘導板８とにより形成される２つのレーンのそれぞれについて、レーンを形成する側板２，３に隣接する係止板５，６のそれぞれと前端の中央に設けられた係止板７とにより商品を係止することができる。
【００３３】
誘導板８は、側板２，３とともに商品が並べられるレーンを区画し、それぞれのレーンにおいて商品が前側にスライドするのをガイドする板部材である。本実施形態では、誘導板８は、本体１の表側で２つの側板２，３の中心に１つ設けられている。それにより、２つの側板２，３と誘導板８とにより等幅の２つのレーンが形成され、それぞれのレーンに同じ幅の商品を並べることができる。なお、誘導板８は、側板２，３の中心でなく他の位置（例えば側板２，３の間を２：１の比率で分割する位置）に設けてもよく、１つに限らず複数並設して３以上のレーンを区画してもよい。
【００３４】
なお、係止板７及び誘導板８は、本体１の表側にのみ設けられ、裏側には設けられていない（図３参照）。
【００３５】
なお、本実施形態では、本体１の裏側については、２つの側板２，３により１つのレーンが形成され、これに大きな横幅の商品を並べることができる。
【００３６】
上述の構成の棚板１０により、図２に示すように、２つの側板２，３の裏側の前側に設けられた係止溝２ｃ，３ｃに商品陳列棚２０が有する前側で低い位置にある棒状部材２１ａを挿入し、後側に設けられた係止溝２ｄ，３ｄに後側で高い位置にある棒状部材２２ａを挿入して、棚板１０を商品陳列棚２０に係止することで、表側が上に向けられて棚板１０が前傾した商品陳列棚２０を構成することができる。この状態において、本体１の表側に、本体１の２つの側端に接続して前後に延びる２つの側板２，３と本体１の表側に設けられた前後に延びる誘導板８とにより２つのレーンが形成される。ここで、それぞれのレーンに商品を前後方向に並べ、手前の商品を取り出した際に奥の商品が前側にスライドし、本体１の前側に設けられた係止板５，６，７により係止されて、最も手前の商品が取り出し可能になる。
【００３７】
一方、棚板１０を裏返し、２つの側板２，３の表側の前側に設けられた係止溝２ａ，３ａに商品陳列棚が有する前側で低い位置にある棒状部材２１ａを挿入し、後側に設けられた係止溝２ｂ，３ｂに後側で高い位置にある棒状部材２２ａを挿入して、棚板１０を商品陳列棚２０に係止することで、裏側が上に向けられて棚板１０が前傾した商品陳列棚２０が構成される。この状態において、本体１の裏側に、２つの側板２，３により１つのレーンが形成される。ここで、そのレーンに商品を前後方向に並べ、手前の商品を取り出した際に奥の商品が前側にスライドし、本体１の前側に設けられた係止板５，６により係止されて、最も手前の商品が取り出し可能になる。
【００３８】
図３は、本実施形態に係る商品陳列棚２０の構成を示す。商品陳列棚２０は、複数の棚板１０、各２つの脚部材２１，２２，２３、支持部材２４，２５、複数の棒状部材２１ａ，２２ａ（図３では不図示、図２参照）、及びサンプルケース２６を有する。
【００３９】
複数（一例として４５）の棚板１０のそれぞれは、上述のとおりである。複数の棚板１０のうちのある棚板１０は表側を上に、別の棚板１０は裏側を上にして棒状部材２１ａ，２２ａに係止することで、表側が上に係止された３５の棚板と裏側が上に係止された１０の棚板１０とにより異なる横幅の複数の商品を陳列することができる。
【００４０】
各２つの脚部材２１，２２，２３は、複数の棒状部材２１ａ，２２ａ、これらに係止される複数の棚板１０、サンプルケース２６を支持する部材である。２つの脚部材２３は、左右に離間して前後方向に長手を向けて配置される。２つの脚部材２１は、それぞれ２つの脚部材２３の前側に立設される。２つの脚部材２２は、それぞれ２つの脚部材２３の後側に立設される。
【００４１】
支持部材２４，２５は、脚部材２１，２２，２３を支持する部材である。支持部材２４は、左側の脚部材２１，２２の間及び右側の脚部材２１，２２の間に各２つ架設されている。支持部材２５は、左右の脚部材２３の間に接続され、左右の脚部材２１の間及び左右の脚部材２２の間に各１つ架設されている。
【００４２】
複数の棒状部材２１ａ，２２ａ（図３では不図示、図２参照）は、棚板１０が有する２つの側板２，３の表側及び裏側の一方の前側及び後側のそれぞれに設けられた係止溝にそれぞれ挿入されて、棚板１０を係止する部材である。複数の棒状部材２１ａ，２２ａは、それぞれ、左右の脚部材２１の間及び左右の脚部材２２の間に、上下方向に一定間隔で各９つ架設されている。ここで、図２より分かるように、１つの棚板１０が係止される一対の棒状部材２１ａ，２２ａについて、棒状部材２１ａは前側で（すなわち脚部材２１の）棒状部材２２ａより低い位置に、棒状部材２２ａは後側で（すなわち脚部材２２の）棒状部材２１ａより高い位置に、互いに平行に配置される。さらに、一対の棒状部材２１ａ，２２ａは、棚板１０の２つの側板２，３の表側及び裏側の一方の前側及び後側のそれぞれに設けられた係止溝（例えば、係止溝２ｃ，３ｃ，２ｄ，３ｄ）の開口の離間距離Ｗ（図１参照）に略等しい距離、離間する。
【００４３】
サンプルケース２６は、商品のサンプルを陳列するためのケースであり、箱体とこの内側を縦横に複数の部屋に区画する複数の区画板とを有する。サンプルケース２６は、左右の脚部材２１の上側の間に固定されている。
【００４４】
以上詳細に説明したように、本実施形態に係る棚板１０は、表側及び裏側のそれぞれに商品を載置可能な本体１、本体１の２つの側端のそれぞれを中央で接続して前後に延び、表側及び裏側のそれぞれ及び前側及び後側のそれぞれに係止溝２ａ〜２ｄ，３ａ〜３ｄが設けられた２つの側板２，３、本体１の表側に設けられた前後に延びる少なくとも１つの誘導板８、及び本体１の前側に設けられた係止板５，６，７を備える。
【００４５】
また、本実施形態に係る商品陳列棚２０は、上述の棚板１０、棚板１０が有する２つの側板２，３の表側及び裏側の一方の前側及び後側のそれぞれに設けられた係止溝にそれぞれ挿入される２つの棒状部材２１ａ，２２ａを備え、棒状部材２１ａは前側で低い位置に、棒状部材２２ａは後側で高い位置に、２つの側板２，３の表側及び裏側の一方の前側及び後側のそれぞれに設けられた係止溝の開口の離間距離Ｗに略等しい離間距離で、互いに平行に、配置されている。前側で低い位置にある棒状部材２１ａを棚板１０の２つの側板２，３の表側又は裏側の前側に設けられた係止溝２ａ，３ａ又は２ｃ，３ｃに挿入し、後側で高い位置にある棒状部材２２ａを２つの側板２，３の表側又は裏側の後側に設けられた係止溝２ｂ，３ｂ又は２ｄ，３ｄに挿入して、棚板１０を商品陳列棚２０に係止することで、棚板１０が前傾した商品陳列棚２０を構成することができる。
【産業上の利用可能性】
【００４６】
本考案の棚板は、１つの棚板により横幅の異なる商品を前後方向に並べるのに好適である。また、本考案の商品陳列棚は、異なる横幅の複数の商品を陳列するのに好適である。多くの商品販売者による利用が考えられる。
【符号の説明】
【００４７】
１    本体
１ａ  開口
１ｂ  開口
２    側板
２ａ  係止溝
２ｂ  係止溝
２ｃ  係止溝
２ｄ  係止溝
３    側板
３ａ  係止溝
３ｂ  係止溝
３ｃ  係止溝
３ｄ  係止溝
４    背板
５    係止板
６    係止板
７    係止板
８    誘導板
１０    棚板
２０    商品陳列棚
２１    脚部材
２１ａ  棒状部材
２２    脚部材
２２ａ  棒状部材
２３    脚部材
２４    支持部材
２５    支持部材
２６    サンプルケース
【図１】
0003204567.tif 000003
【図２】
0003204567.tif 000004
【図３】
0003204567.tif 000005